(57)【要約】      （修正有）【課題】本発明は、通気性が良く、運動時陰茎が搖れないように陰茎を支持固定することが出来る機能性補助パンティーを提供すること。【解決手段】通気性が良い生地からなる陰嚢を支持する陰嚢ポケット２００と、陰茎を支持固定する伸縮性があり柔らかいスパンデックス生地を陰嚢ポケット外側の前面部の左右両端に縫製接合して装着される陰茎支持カバーと、陰嚢及び脚の付け根部分などの湿り気を除去、通風するために陰嚢ポケットの外側に充電式モーターファン部４００が装着され、外気を吸入する外気吸入チューブ４０３を充電式モーターファン部の外部空気吸入口に着脱可能に設置し、外気吸入チューブを通じて吸入された外気を陰嚢ポケット内側に送風する充電式モーターファン部の送風口に、着脱可能な複数の通風ホールを有し、通風チューブの表面に複数の突起を有し、スプリングを含む通風チューブを設置することを特徴とする機能性補助パンティー。【選択図】図７
2020100925.tif 000002
【特許請求の範囲】
【請求項１】
機能性補助パンティーであって、
ウエストバンドと、
陰嚢ポケットと、
前記ウエストバンドと前記陰嚢ポケットを上下に連結する陰嚢ポケット連結バンドと、
前記陰嚢ポケットの一側に装着された充電式モーターファン部と、
を備えることを特徴とする機能性補助パンティー。
【請求項２】
前記陰嚢ポケットの一側にモーターファン部固定バンドまたは充電式モーターファン部用の固定懐が装着されることを特徴とする、請求項１に記載の機能性補助パンティー。
【請求項３】
前記充電式モーターファン部は、バッテリー、ＤＣモーター、送風ファン、充電端子、空気吸入口、送風口を含むことを特徴とする、請求項１に記載の機能性補助パンティー。
【請求項４】
前記機能性補助パンティーは、モーターファン部、充電式バッテリー、及び電源ケーブルから構成されて装着することを特徴とする、請求項１に記載の機能性補助パンティー。
【請求項５】
前記陰嚢ポケットに着脱可能な通風チューブが装着されることを特徴とする、請求項１に記載の機能性補助パンティー。
【請求項６】
前記陰嚢ポケットに装着する通風チューブには、通風ホールを含むことを特徴とする、請求項１から請求項５のいずれかに記載の機能性補助パンティー。
【請求項７】
前記陰嚢ポケットは、陰茎支持カバーと、陰茎勃起時の陰茎支持カバーと、を含むことを特徴とする、請求項１に記載の機能性補助パンティー。
【請求項８】
前記充電式モーターファン部の送風ファンと、送風口と、充電式モーターファン部と、通風チューブ連結部と、通風チューブが直列に接続されていることを特徴とする、請求項１に記載の機能性補助パンティー。
【請求項９】
前記陰嚢ポケットは、通風チューブカバーを含むことを特徴とする、請求項１に記載の機能性補助パンティー。
【請求項１０】
前記充電式モーターファン部またはモーターファン部の送風口に、着脱可能な通風ホールがある通風チューブが装着されることを特徴とする、請求項１から請求項４のいずれかに記載の機能性補助パンティー。
【請求項１１】
充電式モーターファン部またはモーターファン部の空気吸入口に、着脱可能な外気吸入チューブが装着されることを特徴とする、請求項１から請求項４のいずれかに記載の機能性補助パンティー。
【請求項１２】
前記充電式モーターファン部は、通風チューブ連結部を含むことを特徴とする、請求項１に記載の機能性補助パンティー。
【請求項１３】
前記充電式モーターファン部またはモーターファン部を陰嚢保護コップの一側に装着することを特徴とする、請求項１から請求項４のいずれかに記載の機能性補助パンティー。
【請求項１４】
前記充電式モーターファン部またはモーターファン部をズボン腰ベルトの一側に装着することを特徴とする、請求項１から請求項４のいずれかに記載の機能性補助パンティー。
【請求項１５】
電源ケーブルの末端の一側にＤＣバッテリーまたはＡＣ電源接続用のコネクターが装着され、前記電源ケーブルの一側に電源オンオフスィッチが装着されていることを特徴とする、請求項４に記載の機能性補助パンティー。
【請求項１６】
前記充電式モーターファン部において、電圧がＤＣ３〜１２Ｖであり、定格回転数が２０００〜１２０００ｒｐｍであり、エアフローは１．５〜４．０ＣＦＭであり、ノイズレベルは１５〜３５ｄＢＡであることを特徴とする、請求項１に記載の機能性補助パンティー。
【請求項１７】
前記モーターファン部において、電圧がＤＣ３〜１２Ｖであり、定格回転数が２０００〜１２０００ｒｐｍであり、エアフローは１．５〜４．０ＣＦＭであり、ノイズレベルは１５〜３５ｄＢＡであることを特徴とする、請求項４に記載の機能性補助パンティー。
【請求項１８】
前記陰嚢ポケットに装着する通風チューブの表面に沿って形成された一つ以上の突起を含むことを特徴とする、請求項１から請求項５のいずれかに記載の機能性補助パンティー。
【請求項１９】
スプリングを含む通風チューブが前記陰嚢ポケットに装着されることを特徴とする、請求項１から請求項５のいずれかに記載の機能性補助パンティー。
【発明の詳細な説明】
【技術分野】
【０００１】
本発明は、通気性が良く、陰茎と陰嚢がそれぞれ独立して分離収納されて、ランニング、マラソン、サイクリングなどの活動的な運動をする男性のための機能性補助パンティーにおいて、通気性が良いメッシュまたはクルロン、クールマックスなどの機能性織物の生地から陰嚢ポケットを形成して陰嚢を全体的に支持する陰嚢ポケットと、運動時の陰茎が揺れないように陰茎を支持固定する、伸縮性の柔らかいスパンデックス生地を陰嚢ポケットの外側の前面部の左右両端に縫製接合して装着されている陰茎支持カバーと、陰嚢及び脚の付け根部分などの湿り気を除去したり通風を円滑にするために陰嚢ポケットの外側に充電式モーターファン部が装着されることとを特徴とする機能性補助パンティーに関するものである。
【背景技術】
【０００２】
一般的に、男性用のパンティーは、身体に密着する三角のパンティー、四角のパンティーとして形成されている。
【０００３】
男性の生殖器官である睾丸は、人体の温度である３６.５Ｃより１〜３度くらい低い温度において健康で活動的であり、男性の陰嚢は、人体の構造上、陰茎と脚の付け根の間に位置して温度調節のために運動をすると汗を排出し、夏季に湿った状態を維持するようになる。
【０００４】
男性用の三角パンティーの場合、陰茎及び陰嚢を支持及び固定することができるが、パンティーの弾力によって両者が密着して風通しがよくなく、汗が多く出るようになって、陰嚢の温度を上昇させ、精子活動を低下させたり、陰嚢及び脚の付け根に、あせも、湿疹などの皮膚疾患を発生させるようになる問題点がある。
【０００５】
また、男性用のトランク四角パンティーは、着心地が快適な一方、陰茎と陰嚢を支持及び固定することができず、運動時に陰茎と陰嚢が搖れながら運動するため不便さを感じさせる問題点がある。
【０００６】
このような問題点を考慮して、陰茎と陰嚢を分離して収納する機能性パンティーが提案されている。
【０００７】
従来には、このような問題を解決するための、陰茎と陰嚢が分離収納される男性用の機能性パンティーが特許文献１（２０１３年７月９日）に開示されたように、上端にバンドが形成され、両側下部には足貫通の開口部が形成され、上部中央の陰茎ポケットと下部の陰嚢ポケットとに区分してパンティー本体と返し縫いするように提案される等した。
【０００８】
しかし、このような従来の男性用の機能性パンティーは、活動的な運動中に陰茎が陰嚢の方向に流れて下がったり、小便をした後に陰茎ポケットに入れなければならない等の不便な問題があった。
【０００９】
また、陰茎ポケットと陰嚢ポケットとを区分してパンティーの本体と返し縫いして構成することにより、作業が複雑になり、これによって生産性が低下する問題があった。
【先行技術文献】
【特許文献】
【００１０】
【特許文献１】韓国公開特許第１０−２０１３−００８０３７９号公報
【発明の概要】
【発明が解決しようとする課題】
【００１１】
このような従来の問題点を解決するための本発明の目的は、通気性が良いメッシュまたはクルロン、クールマックスなど機能性織物の生地から陰嚢ポケットを形成して陰嚢を全体的に支持する陰嚢ポケットと、運動時陰茎が搖れないように陰茎を支持固定する、伸縮性があり柔らかいスパンデックス生地を陰嚢ポケットの外側前面部の左右両端に縫製接合して装着される陰茎支持カバーと、陰嚢及び脚の付け根部分などの湿り気を除去したり、通風を円滑にするために陰嚢ポケットの外側に充電式モーターファン部が装着されることとを特徴とする機能性補助パンティーを提供するものである。
【課題を解決するための手段】
【００１２】
前記目的のために、本発明の機能性補助パンティーは、通気性が良いメッシュまたはクルロン、クールマックスなどの機能性織物の生地から陰嚢ポケットを形成し、陰嚢を全体的に支持する陰嚢ポケットと、運動時に陰茎が搖れないように陰茎を支持固定する、伸縮性があり柔らかいスパンデックス生地を陰嚢ポケットの外側の前面部の左右両端に縫製して接合して上下に開口されることを特徴とする陰茎支持カバーと、陰嚢及び脚の付け根部分などの湿り気を除去したり、通風を円滑にするために陰嚢ポケットの外側に充電式モーターファン部が装着されることとを特徴とする機能性補助パンティーを提供する。
【００１３】
前記陰嚢ポケットは、通気性が良いメッシュまたはクルロン、クールマックスなどの機能性織物の生地から陰嚢ポケットを形成し、陰嚢及び脚の付け根部分の皮膚と接触する縁部を柔らかい素材のバインディングテープで縫製することを特徴とする。
【００１４】
前記陰茎支持カバーは、陰嚢ポケットの縁のバインディングテープ縫製の時に陰茎を支持することができる、伸縮性があり柔らかいスパンデックス生地を陰嚢ポケットの外側の左右両端に縫製して接合し、上下に開口されることを特徴に装着したり、陰嚢ポケットの外側の左右側のうち一側の縁に陰茎支持カバー生地の一端を縫製し、陰茎支持カバー生地の他端にはベルクロ（登録商標）テープまたはスナップボタン、ボタンなどを形成して陰茎ポケット他側に固定することができることを特徴とする。
【００１５】
前記充電式モーターファン部は、バッテリー、ＤＣモーター、送風ファン、充電端子、外部空気吸入口、送風口などから構成され、陰嚢及び脚の付け根部分などの湿り気を除去したり、通風を円滑にするために陰嚢ポケットの外側に充電式モーターファン部が装着されることを特徴とする。
【００１６】
また、前記陰嚢ポケットに装着する通風チューブの表面には、一つ以上の突起が形成されていて、通風チューブと纎維との間に空間を確保するようにして、通風をより円滑にする。
【００１７】
前記通風チューブは、スプリングを含むことができ、着用者の姿勢などから通風チューブ内の空気の循環が妨げられることを防止することができる。
【発明の効果】
【００１８】
前記のように、本発明の機能性補助パンティーは、着る時に通気性が良く、陰茎と陰嚢がそれぞれ独立して分離収納され、ランニング、マラソン、サイクリングなどの活動的な運動をする男性の陰嚢と陰茎が陰嚢ポケット及び陰茎支持カバーに支持固定されて、お互いに接触したり、太ももに接触することを防止し、搖れずに快適に運動するのに役立ち得る。
【００１９】
また、本発明の機能性補助パンティーの陰嚢ポケット外側に装着される充電式モーターファン部は、バッテリー、ＤＣモーター、ファン、充電端子、外部空気の吸入口、送風口などから構成され、運転やオフィスの椅子での長時間の作業や屋外での運動をする男性のために、陰嚢ポケットの通風を円滑にして陰嚢及び脚の付け根部分のあせも、湿疹などの皮膚疾患を予防することができるなどの效果も得られる。
【図面の簡単な説明】
【００２０】
【図１】本発明の実施形態に係る機能性補助パンティー１０の斜視図である。
【図２】本発明の実施形態に係る機能性補助パンティー１０の充電式モーターファン部４００、通風チューブ４０３、及び突起４１０を示す正面図である。
【図３ａ】本発明の実施形態に係る充電式モーターファン部４００、通風チューブ４０３、突起４１０、スプリング４１１、及び外気吸入チューブ５０３を示す正面図及び斜視図である。
【図３ｂ】本発明の実施形態に係る充電式モーターファン部４００、通風チューブ４０３、突起４１０、スプリング４１１、及び外気吸入チューブ５０３を示す正面図及び斜視図である。
【図３ｃ】本発明の実施形態に係る充電式モーターファン部４００、通風チューブ４０３、突起４１０、スプリング４１１、及び外気吸入チューブ５０３を示す正面図及び斜視図である。
【図３ｄ】本発明の実施形態に係る充電式モーターファン部４００、通風チューブ４０３、突起４１０、スプリング４１１、及び外気吸入チューブ５０３を示す正面図及び斜視図である。
【図３ｅ】本発明の実施形態に係る充電式モーターファン部４００、通風チューブ４０３、突起４１０、スプリング４１１、及び外気吸入チューブ５０３を示す正面図及び斜視図である。
【図３ｆ】本発明の実施形態に係る充電式モーターファン部４００、通風チューブ４０３、突起４１０、スプリング４１１、及び外気吸入チューブ５０３を示す正面図及び斜視図である。
【図４ａ】本発明の実施形態に係る機能性補助パンティー１０の陰嚢ポケットと充電式モーターファン部４００を含む斜視図である。
【図４ｂ】本発明の実施形態に係る機能性補助パンティー１０の陰嚢ポケットと充電式モーターファン部４００を含む斜視図である。
【図５ａ】本発明の実施形態に係る機能性補助パンティー１０に充電式モーターファン部４００、通風チューブ４０３、及び突起４１０を含む正面図及び斜視図である。
【図５ｂ】本発明の実施形態に係る機能性補助パンティー１０に充電式モーターファン部４００、通風チューブ４０３、及び突起４１０を含む正面図及び斜視図である。
【図６ａ】本発明の実施形態に係る機能性補助パンティー１０に充電式モーターファン部４００、通風チューブ４０３、外気吸入チューブ５０３を含む斜視図である。
【図６ｂ】本発明の実施形態に係る機能性補助パンティー１０に充電式モーターファン部４００、通風チューブ４０３、外気吸入チューブ５０３を含む斜視図である。
【図７】本発明の実施形態に係る機能性補助パンティー１０の上にズボン５００を着用した状態を示す斜視図である。
【発明を実施するための形態】
【００２１】
以下、添付の図面を参照して本発明の実施形態を詳細に説明する。
【００２２】
本発明の説明に使用する用語は、本発明の機能を考慮して定義したものなので、使用者、慣例などによって異なる場合があるが、この用語に対する定義は、本明細書の全般にわたる内容に基づいてなされなければならない。
【００２３】
また、本発明を説明するために参照する図面に示す構成要素の大きさ、線の厚さなどは、理解の便宜上、多少誇張して表現する場合がある。
【００２４】
図１は、本発明の実施形態に係る機能性補助パンティーの斜視図である。
【００２５】
本発明の実施形態に係る機能性補助パンティー１０は、通気性が良いメッシュまたはクルロン、クールマックスなどの機能性織物の生地から陰嚢ポケット２００を形成して陰嚢を全体的に支持する陰嚢ポケット２００と、運動時に陰茎３０が揺れないように陰茎を支持して固定する、伸縮性があり柔らかいスパンデックス生地を陰嚢ポケットの外側の左右両端に縫製して接合して上下に開口されることを特徴とする陰茎支持カバー３０１を備え、陰嚢及び脚の付け根部分などの湿り気を除去したり、通風を円滑にするために陰嚢ポケット２００の一側に充電式モーターファン部４００が装着されることを特徴とする。
【００２６】
陰嚢ポケット２００は、陰茎３０を中央部に置いて、陰嚢ポケットの前面部のＵ形の左右側上部の両端を周方向に腰を包み込むウエストバンド５０の前面部に上下に連結する伸縮性の陰嚢ポケット連結バンド２０１ａ、２０１ｂを設置し、前記陰嚢ポケットは、通気性が良いメッシュまたはクルロン、クールマックスなどの機能性織物の生地から陰嚢ポケット２００を形成し、陰嚢及び脚の付け根部分の皮膚と接触する陰嚢ポケット２００の縁部分を柔らかい素材のバインディングテープで縫製することを特徴とする。
【００２７】
前記陰茎支持カバー３０１は、陰嚢ポケット外側２０４の前面部の縁部をバインディングテープで縫製する時に、陰茎を支持することができるように伸縮性があり柔らかい織物の生地を陰嚢ポケットの外側の左右両端に縫製して接合し、上下に開口されることを特徴とし、陰嚢ポケット外側２０４の前面部の左右側のうち一側に陰茎支持カバー３０１の一端を縫製し、陰茎支持カバー３０１の他端には、ベルクロ（登録商標）テープまたはスナップボタン、ボタンなどを形成して陰嚢ポケット外側２０４の前面部の左右側のうちの他側に縫製接合して固定することができることを特徴とする。
【００２８】
また、陰嚢ポケットの会陰部側の下端部２０３は、通気性があり柔らかい背面部の生地６０の一端を縫製して接合し、背面部の生地６０の他端は、ウエストバンド５０の背面部に縫製して接合することを特徴とする。
【００２９】
また、背面部の生地６０の陰嚢ポケットの会陰部側の下端部２０３は、幅が狭く、背面部ウエストバンド５０に近いほど幅が広くなることを特徴とする。
【００３０】
前記陰嚢ポケット２００には、陰嚢及び脚の付け根部分などの湿り気を除去したり、通風を円滑にするために、陰嚢ポケット外側２０４に充電式モーターファン部４００が装着され、充電式モーターファン部４００を装着するために陰嚢ポケット外側２０４の一側に充電式モーターペンブ用の固定バンド４０５または充電式モーターファン部用の固定懐を設置することを含む。充電式モーターファン部４００は、バッテリー、ＤＣモーター、送風ファン、充電端子、空気吸入口、送風口などから構成され、陰嚢及び脚の付け根部分などの湿り気を除去したり、通風を円滑にするために陰嚢ポケット２００に充電式モーターファン部４００が装着されることを含む。
【００３１】
図２は、本発明の実施形態に係る機能性補助パンティー１０の充電式モーターファン部４００と通風チューブ４０３を示す正面図である。
【００３２】
本発明の実施形態に係る機能性補助パンティー１０の前面部でウエストバンド５０と陰嚢ポケット２００とを上下に連結する陰嚢ポケット連結バンド２０１ａ、２０１ｂには、陰茎の勃起時の陰茎支持のために伸縮性のあるバンドまたは織物生地素材の陰茎勃起時の陰茎支持カバー３０２を装着することを特徴とする。
【００３３】
前記陰嚢ポケット２００の外側または内側には、充電式モーター送風ファンから発生する風を陰嚢及び脚の付け根部分に送る通路である、複数の通風ホール４０４がある通風チューブ４０３が着脱可能に装着されることを含み、前記通風チューブ４０３の一側は、充電式モーターファン部４００から送風ファン４０２の送風方向側である送風口に着脱可能に装着されることを特徴とする。
【００３４】
前記通風チューブ４０３の表面には、一つ以上の突起４１０が形成されており、前記突起４１０は、前記機能性補助パンティー１０と着用者の衣服などの纎維との間に一定の空間を確保することができるように機能し、前記充電式モーター送風ファンから発生する風を、前記通風ホール４０４から円滑に出すようにすることを特徴とする。
【００３５】
図３（ａ）、（ｂ）、（ｃ）、（ｄ）、（ｅ）は、本発明の実施形態に係る充電式モーターファン部４００と通風チューブ４０３を示す正面図及び斜視図である。
【００３６】
図３（ａ）は、充電式モーターファン部４００と通風チューブ４０３が結合された状態において充電式モーターファン部の空気吸入口及び送風ファン４０２を示す斜視図であり、図３（ｂ）は、図３（ｃ）の充電式モーターファン部４００の送風方向側の送風口４０７と通風チューブ４０３が充電式モーターファン部４００と通風チューブ連結部４０６を介して結合された状態と、前記通風チューブ４０３の表面に形成された一つ以上の突起４１０を示す斜視図である。
【００３７】
図３（ｃ）は、本発明の実施形態に係るデザインが異なる充電式モーターファン部４００における送風ファン４０２と、送風方向側の送風口４０７と、充電式モーターファン部と、通風チューブ連結部４０６と、通風チューブ４０３と、が直列に連結されたことを示す。
【００３８】
また、充電式モーターファン部４００と通風チューブ４０３は、充電式モーターファン部と通風チューブ連結部４０６から着脱できることを特徴とする。
【００３９】
図３（ｄ）は、本発明の実施形態に係る充電式モーターファン部４００において、ズボン５００外側の外気を充電式モーターファン部４００に吸入するために、柔軟で弾性を有する材質の外気吸入チューブ５０３を充電式モーターファン部４００の空気吸入口４０９に着脱可能に設置し、外気吸入チューブ５０３を通じて吸入された冷たい外気を送風する充電式モーターファン部４００の送風口４０７には、着脱可能な通風ホール４０４がある通風チューブ４０３を設置することを特徴とする。
【００４０】
前記通風チューブ４０３の長さを長く調節することにより、充電式モーターファン部４００をウエストバンド５０またはズボン外側腰ベルト５０１に装着することができることを特徴とする。
【００４１】
図３（ｅ）は、前記本発明の実施形態に係る機能性補助パンティー１０は、ＤＣモーター、送風ファン、電源接続端子、空気吸入口、送風口などから構成されるモーターファン部４００−１と、充電端子、バッテリー、電源接続端子などから構成される充電式バッテリー４００−２と、着脱可能な電源ケーブル４００−３とから分離構成されて装着されることを含み、モーターファン部４００−１または電源ケーブル４００−３の一側に電源オンオフスィッチ４００−６を含むことを特徴とする。前記電源ケーブル４００−３は、末端にコネクター４００−４を備え、それぞれモーターファン部４００−１及び充電式バッテリー４００−２の電源接続端子４００−５に結合することを含み、充電式バッテリー４００−２または補助バッテリーと結合する電源ケーブル４００−３の一側は、ＵＳＢコネクターを装着することを含む。
【００４２】
また、電源ケーブル４００−３の一側の末端に結合されたコネクター４００−４に着脱可能なＤＣアダプタを結合して、ＡＣ電源または車両シーガージャックを介してモーターファン部４００−１を作動するように構成することを含む。
【００４３】
前記充電式モーターファン部４００またはモーターファン部４００−１の適用基準において、電圧（Ｖｏｌｔａｇｅ）は、ＤＣ３〜１２Ｖ、定格回転数（ＲａｔｅｄＳｐｅｅｄ）は、２０００〜１２０００ｒｐｍ、エアフロ―（ＡｉｒＦｌｏｗ）は、１.５〜４.０ＣＦＭ、ノイズレベル（ＮｏｉｓｅＬｅｖｅｌ）は、１５〜３５ｄＢＡの範囲内に適切に使用基準を適用することを含む。
【００４４】
前記電圧（Ｖｏｌｔａｇｅ）は、ＤＣ３〜１２Ｖであり、好ましくは、３.７〜６Ｖであり、より好ましくは、５Ｖである。ＤＣ３Ｖ未満の場合は、回転数（ｒｐｍ）を上げるには、電流値が高くなってバッテリー消耗が高くなり、ＤＣ１２Ｖ超過の時、サイズが大きくなってバッテリー容量も大きくなる。
【００４５】
前記定格回転数（ＲａｔｅｄＳｐｅｅｄ）は、２０００〜１２０００ｒｐｍであるが、好ましくは、４０００〜８０００ｒｐｍであり、より好ましくは、６０００ｒｐｍである。もし２０００ｒｐｍ未満の場合に、送風ファンの回転数が低く、陰嚢ポケットの送風效率が低くなり、１２０００ｒｐｍを超える場合、風の強さが必要以上強く、ノイズがひどくなる。
【００４６】
前記エアフロ―（ＡｉｒＦｌｏｗ）は、１.２〜４.０ＣＦＭであり、好ましくは、１.８〜２.５ＣＦＭであり、より好ましくは、２.０ＣＦＭである。１.２ＣＦＭ未満の場合に、送風の強さが弱く、陰嚢ポケットに送風する效率が低くなり、４.０ＣＦＭ超過の時、風の強さが必要以上に強く、ノイズがひどくなる。
【００４７】
前記ノイズレベル（ＮｏｉｓｅＬｅｖｅｌ）は、１０〜３５ｄＢＡであり、ノイズレベル（ＮｏｉｓｅＬｅｖｅｌ）は数値が低いほど良いが、送風の強さなどを考慮して、好ましくは、１８〜２７ｄＢＡであり、より好ましくは、２７ｄＢＡ以下である。１０ｄＢＡ未満の場合に、ノイズは低いが、送風の強さが弱く、３５ｄＢＡ超過の時、ノイズがひどく、陰嚢ポケットに適用することが困難となる。
【００４８】
前記通風チューブ４０３は、シリコーン、ゴム、ポリウレタン、軟質プラスチックなど柔軟で伸縮性及び弾性のある素材から形成され、前記通風チューブ４０３が陰嚢ポケットの外側または内側に固定支持されることができるように、メッシュまたは通気性のある機能性素材の生地で通風チューブカバー４０８を縫製または接合して装着されることを特徴とする。
【００４９】
前記図3（ｆ）は、スプリング４１１を含む通風チューブ４０３を示す図面である。
【００５０】
前記外気吸入チューブ５０３ないし空気吸入口４０９を介して吸入された空気は、充電式モーターファン部４００またはモーターファン部４００−１の送風口４０７を通過することになる。前記通風チューブ４０３をゴム、シリコーンなどの弾性はあるが硬度が低い軟質材質のみから構成する場合、本発明の着用者が座ったり伏せるなどの様々な姿勢を取ると、前記通風チューブ４０３が折れたり、圧搾されることにより、前記通風チューブ４０３の内側に空気の流れが詰まったり、円滑でないことがある。
【００５１】
図３（ｆ）に提示されたように、前記通風チューブ４０３内側にスプリング４１１を挿入したり、あるいは通風チューブ４０３の成形作業の時にスプリング４１１をインサート成形する方法で、前記通風チューブ４０３がスプリングを含むようにすることができる。その結果、前記通風チューブ４０３は柔軟性を有するので、本発明の着用者が座ったり伏せるなどの様々な姿勢をとる場合でも、前記通風チューブ４０３が易しく折れたり圧着されないようにして、前記通風チューブ４０３内部の空気流れが円滑にする效果を持つ。
【００５２】
前記充電式モーターファン部４００またはモーターファン部４００−１の送風口４０７に結合される前記通風チューブ４０３は、しわが寄った金属官またはしわが寄ったプラスチック管を使用することができる。
【００５３】
図４（ａ）及び（ｂ）は、本発明の実施形態に係る機能性補助パンティー１０の陰嚢ポケット２００と充電式モーターファン部４００とが含まれている斜視図である。
【００５４】
前記図４（ａ）は、陰嚢ポケット２００の一側に充電式モーターファン部４００を装着した状態を示す斜視図であり、図４（ｂ）は、図４（ａ）の内側を示す斜視図であり、充電式モーターファン部４００の送風口４０７が陰嚢ポケット内側２０５に設置されたことを特徴とする。
【００５５】
前記陰嚢ポケット２００は、エアメッシュ、３Ｄエアメッシュ、メッシュなどの通気性がある機能性織物の生地から形成され、充電式モーターファン部４００の送風方向側送風口４０７を通じて陰嚢ポケット内側２０５に入ってきた空気の循環を円滑にすることを特徴とする。
【００５６】
また、運動中に陰茎及び陰嚢を保護するために着用する、シリコーン、ゴム、ポリウレタン、プラスチックなどの素材から成形して陰嚢ポケットに装着する陰嚢保護コップを含む機能性補助パンティー１０において、前記パンティーの陰嚢ポケットの一側に充電式モーターファン部４００を設置して陰嚢保護コップ内側に充電式モーターファン部４００の送風口４０７が設置されることを特徴とする。前記充電式モーターファン部４００またはモーターファン部４００−１を前記陰嚢保護コップの一側に装着したり、前記通風チューブ４０３を陰嚢保護コップに装着することを特徴とする。
【００５７】
図５（ａ）及び（ｂ）は、本発明の実施形態に係る機能性補助パンティー１０に充電式モーターファン部４００及び通風チューブ４０３が含まれている正面図及び斜視図である。
【００５８】
前記図５（ａ）は陰嚢ポケット連結バンドに付いて通風チューブ４０３の長さを長く延ばして充電式モーターファン部４００がウエストバンド５０の一側に装着されることを示す正面図であり、図５（ｂ）は、図５（ａ）の内側を示す斜視図であり、陰嚢ポケット外側に設置されている充電式モーターファン部４００の送風口と接続された複数の通風ホール４０４があり、表面に複数の突起４１０を持つ通風チューブ４０３が陰嚢ポケット内側２０５に装着されることを示しており、前記陰嚢ポケット２００の陰嚢ポケット外側２０４または陰嚢ポケット内側２０５には、通風チューブ４０３を固定支持する通風チューブカバー４０８を含むことを特徴とする。
【００５９】
前記陰嚢ポケット２００は、エアメッシュ、３Ｄエアメッシュ、メッシュなどの通気性がある機能性織物の生地から形成され、通風チューブ４０３を通じて陰嚢ポケット内側２０５に入ってきた空気の循環を円滑にすることを特徴とする。
【００６０】
図６（ａ）及び（ｂ）は、本発明の実施形態に係る機能性補助パンティー１０に充電式モーターファン部４００、通風チューブ４０３、外気吸入チューブ５０３が含まれている斜視図である。
【００６１】
充電式モーターファン部４００をパンティーに装着した後にズボンを着用する時、パンティーとズボンが密着されて、充電式モーターファン部４００の空気吸入口４０９を通じる空気吸入が円滑でなく、外部空気に比べて体温によって暖かい空気を脚の付け根及び陰嚢ポケット内側に吹き入れて、使用者の満足度が低くなる可能性がある。
【００６２】
このために、本発明は、実施形態に係る図６（ａ）及び（ｂ）に示すように、ズボン５００外側の冷たい外気を充電式モーターファン部４００またはモーターファン部４００−１に吸入するために、柔軟で弾性を持つ材質の外気吸入チューブ５０３を充電式モーターファン部４００またはモーターファン部４００−１の空気吸入口４０９に着脱可能になるように設置し、外気吸入チューブ５０３を通じて吸入された冷たい外気を陰嚢ポケット内側に送風する充電式モーターファン部４００またはモーターファン部４００−１の送風口４０７には着脱可能な複数の通風ホール４０４があり、前記機能性補助パンティー１０の着用者の衣服などの纎維と通風チューブ４０３との間に一定の空間を確保するようにして通風を円滑にする複数の突起４１０をその表面に持っている通風チューブ４０３を設置することを特徴とする。
【００６３】
前記通風チューブ４０３は、陰嚢と太もも内側が会うパンティーの脚の付け根部分に設置することを含む。
【００６４】
図７は、本発明の実施形態に係る機能性補助パンティー１０にズボン５００を着用した状態を示す斜視図であり、外気吸入チューブ５０３と複数の通風ホール４０４がある通風チューブ４０３が充電式モーターファン部４００またはモーターファン部４００−１に設置されてパンティーに装着し、ズボンを着用した状態を示している。
【００６５】
また、前記通風チューブ４０３の長さを調節することにより、充電式モーターファン部４００またはモーターファン部４００−１がズボン腰ベルト５０１の一側に装着されることを特徴とする。
【符号の説明】
【００６６】
１０：機能性補助パンティー、３０：陰茎、５０：ウエストバンド、６０：背面部生地、２００：陰嚢ポケット、２０１ａ、２０１ｂ：陰嚢ポケット連結バンド、２０３：陰嚢ポケットの会陰部側の下端部、２０４：陰嚢ポケット外側、２０５：陰嚢ポケット内側、３０１：陰茎支持カバー、３０２：陰茎勃起時の陰茎支持カバー、４００：充電式モーターファン部、４００−１：モーターファン部、４００−２：充電式バッテリー、４００−３：電源ケーブル、４００−４：コネクター、４００−５：電源接続端子、４０２：送風ファン、４０３：通風チューブ、４０４：通風ホール、４０５：充電式モーターペンブ用の固定バンド、４０６：充電式モーターファン部と通風チューブとの連結部、４０７：送風口、４０８：通風チューブカバー、４０９：空気吸入口、４１０：突起、４１１：スプリング、５００：ズボン、５０１：ズボンの腰ベルト、５０３：外気吸入チューブ。
【図１】
2020100925.tif 000003
【図２】
2020100925.tif 000004
【図３ａ】
2020100925.tif 000005
【図３ｂ】
2020100925.tif 000006
【図３ｃ】
2020100925.tif 000007
【図３ｄ】
2020100925.tif 000008
【図３ｅ】
2020100925.tif 000009
【図３ｆ】
2020100925.tif 000010
【図４ａ】
2020100925.tif 000011
【図４ｂ】
2020100925.tif 000012
【図５ａ】
2020100925.tif 000013
【図５ｂ】
2020100925.tif 000014
【図６ａ】
2020100925.tif 000015
【図６ｂ】
2020100925.tif 000016
【図７】
2020100925.tif 000017